(57)【特許請求の範囲】
【請求項１】
対向する隔壁によって銅バー取付部が区画形成された端子台と、
前記銅バー取付部内に回転自在に抜け止め支持された平面視楕円形状のロックピンと、
前記端子台に装着され、前記ロックピンを挟んで対向する前記隔壁に接続部が配設された電極金具と、
前記銅バー取付部内に配置され、前記ロックピンより大きな平面視楕円形状のロックピン挿入孔が形成された銅バーとからなり、
前記ロックピン挿入孔は、銅バーの長手方向と長軸を一致させて形成され、
前記銅バー取付部内に配置した銅バーのロックピン挿入孔内のロックピンの略９０度の回転操作で、該ロックピンの長軸部が前記ロックピン挿入孔の短軸側内周に圧接し、前記銅バーを膨出変形させて前記接続部と隔壁とに圧着させることを特徴とする銅バーの取付構造。
【請求項２】
前記ロックピン挿入孔の短軸側内周に、該ロックピンの長軸部が係合可能な簡易ロック用の凹部が設けられていることを特徴とする請求項１に記載の銅バーの取付構造。
【請求項３】
前記電極金具の接続部及び該接続部が配設された隔壁の内面は、銅バーの変形形状に沿って湾曲形状に形成されていることを特徴とする請求項１または請求項２に記載の銅バーの取付構造。
【請求項４】
前記ロックピン挿入孔に、銅バーの長手方向に沿ってスリットが設けられていることを特徴とする請求項１乃至請求項３のいずれか１項に記載の銅バーの取付構造。
【請求項５】
前記スリットは、先端側が平面視略円形状に形成されていることを特徴とする請求項４に記載の銅バーの取付構造。
【請求項６】
前記スリットは、銅バーの長手方向へ幅寸法が順次大きく形成されていることを特徴とする請求項４に記載の銅バーの取付構造。
【請求項７】
前記ロックピンに、銅バーの抜け止めを図る抜止め部が設けられていることを特徴とする請求項１乃至請求項６のいずれか１項に記載の銅バーの取付構造。
【発明の詳細な説明】
【技術分野】
【０００１】
本発明は銅バー（バスバー）の取付構造に係り、詳しくは大電流を通電させるために使用する銅バーを端子台に簡単に取り付け、また、端子台から簡単に取り外すことができる銅バーの取付構造に関する。
【背景技術】
【０００２】
特許文献１または特許文献２に開示されるように、今日、銅バーは、接続信頼性向上の観点から大電流が流れる配線、また、ワイヤーハーネス等を不要とする省スペース化を達成するための配線として広く使用されている。
【０００３】
前記特許文献１の従来例は、電源供給機構の如く大電流の供給が必要とされる大型計算機に於て、許容電流値の増加，電圧降下の低減及び放熱性向上のために銅バーを用いたもので、特許文献２の従来例は、自動車部品の電子制御化の進展に伴い、自動車制御部品の配線部を一括モジュール化して、設置空間の省スペース化のために銅バーを用いたものである。
【０００４】
そして、従来、大電流通電のため、銅バーを電源装置の端子台に取り付ける場合、ネジを締め付けて銅バーを端子台に固定していた。
【特許文献１】特開昭６３−１８２８９７号公報
【特許文献２】特開平８−２６８２５４号公報
【発明の開示】
【発明が解決しようとする課題】
【０００５】
しかし、斯様にネジを締め付けて銅バーを端子台に固定する場合、従来は規定トルクまでネジを何度も回転させて締め付けなければならず、また、銅バーを交換する場合にも、ネジを何度も回転させてネジを取り外さなければならないため、銅バーの取付け／取り外しに手間がかかっているのが実情であった。
【０００６】
本発明は斯かる実情に鑑み案出されたもので、端子台への銅バーの取付け／取り外しが簡単に行える銅バーの取付構造を提供することを目的とする。
【課題を解決するための手段】
【０００７】
斯かる目的を達成するため、請求項１に係る銅バーの取付構造は、対向する隔壁によって銅バー取付部が区画形成された端子台と、前記銅バー取付部内に回転自在に抜け止め支持された平面視楕円形状のロックピンと、前記端子台に装着され、前記ロックピンを挟んで対向する前記隔壁に接続部が配設された電極金具と、前記銅バー取付部内に配置され、前記ロックピンより大きな平面視楕円形状のロックピン挿入孔が形成された銅バーとからなり、前記ロックピン挿入孔は、銅バーの長手方向と長軸を一致させて形成され、前記銅バー取付部内に配置した銅バーのロックピン挿入孔内のロックピンの略９０度の回転操作で、該ロックピンの長軸部が前記ロックピン挿入孔の短軸側内周に圧接し、前記銅バーを膨出変形させて前記接続部と隔壁とに圧着させることを特徴とする。
【０００８】
そして、請求項２に係る発明は、請求項１に記載の銅バーの取付構造に於て、前記ロックピン挿入孔の短軸側内周に、該ロックピンの長軸部が係合可能な簡易ロック用の凹部が設けられていることを特徴とし、請求項３に係る発明は、請求項１または請求項２に記載の銅バーの取付構造に於て、前記電極金具の接続部及び該接続部が配設された隔壁の内面は、銅バーの変形形状に沿って湾曲形状に形成されていることを特徴とする。
【０００９】
また、請求項４に係る発明は、請求項１乃至請求項３のいずれか１項に記載の銅バーの取付構造に於て、前記ロックピン挿入孔に、銅バーの長手方向に沿ってスリットが設けられていることを特徴とし、請求項５に係る発明は、請求項４に記載の銅バーの取付構造に於て、前記スリットは先端側が平面視略円形状に形成され、請求項６に係る発明は、請求項４に記載の銅バーの取付構造に於て、前記スリットは、銅バーの長手方向へ幅寸法が順次大きく形成されていることを特徴とする。
【００１０】
そして、請求項７に係る発明は、請求項１乃至請求項６のいずれか１項に記載の銅バーの取付構造に於て、前記ロックピンに、銅バーの抜け止めを図る抜止め部が設けられていることを特徴とする。
【発明の効果】
【００１１】
各請求項に係る発明によれば、ロックピンの略９０度の回転操作で銅バーを端子台に取り付けたり、端子台から取り外すことができるため、従来に比し銅バーの取付け／取り外しが簡単にできることとなった。
【００１２】
そして、請求項２に係る発明によれば、ロックピンによる端子台への銅バーの固定時に、ロックピンの長軸部が簡易ロック用の凹部に係合するため、ロックピンの不用意な緩みが防止される。
【００１３】
また、請求項３に係る発明によれば、電極金具の接続部と該接続部が取り付く側壁が銅バーの変形形状に沿って予め湾曲形状に凹んだ形状となっているため、変形した銅バーが該接続部と隔壁とに面接触の状態で圧着し、この結果、銅バーが端子台に確実に固定されると共に、良好な電気導通性が確保できる利点を有する。
【００１４】
更に、請求項４に係る発明によれば、ロックピンの略９０度の回転操作によって銅バーが容易に湾曲状に膨出変形するため、作業効率がよく銅バーを端子台に確実に固定することが可能となり、請求項５及び請求項６に係る発明によれば、銅バーを更に膨出変形し易くなる利点を有する。
【００１５】
そして、請求項７に係る発明によれば、端子台への銅バーの固定後に、銅バーの確実な抜け止めを図ることができる利点を有する。
【発明を実施するための最良の形態】
【００１６】
以下、本発明の実施形態を図面に基づいて詳細に説明する。
【００１７】
図１乃至図６は請求項１乃至請求項５に係る銅バーの取付構造の一実施形態を示し、図１及び図２に於て、１は電源装置の筐体（図示せず）に取り付く端子台で、本実施形態は、複数の電源装置の端子台を複数の銅バーで繋ぐ銅バーの取付構造に係り、本明細書は一つの端子台１を基に本実施形態を説明する。
【００１８】
前記端子台１は樹脂のモールド品で、端子台１の上部に６個の対向する隔壁３によって５個の銅バー取付部５が一方向に区画形成されており、図３に示すように各銅バー取付部５は、夫々の底部中央が肉厚に形成されて、上面が平坦な凸部７が側壁３間に亘って突設されている。そして、各銅バー取付部５の凸部７に、夫々、電極金具９が装着（モールド）されている。
【００１９】
図３乃至図５に示すように電極金具９は導電性を有する板材で形成され、銅バー取付部５の対向する側壁３の内周に取り付く一対の矩形状の接続部９ａ，９ｂと、同じく矩形状に形成された底部９ｃとからなる側面視略コ字状の頭部９ｄと、該頭部９ｄから下方へ側面視Ｌ字状及び側面視逆Ｌ字状に屈曲された脚部９ｅとからなり、前記底部９ｃは前記凸部７の上面に固着され、脚部９ｅは端子台１にモールドされている。そして、図３に示すように該脚部９ｅの先端側が、端子台１の裏面側に設けた後述する凹部１１から端子台１の下方へ突出しており、脚部９ｅの先端側に、電源装置内の図示しない配線が半田付けされるようになっている。
【００２０】
そして、図２に示すように前記接続部９ａ，９ｂは、後述する銅バー１３の変形形状に沿って予め外方へ湾曲形状に凹んで形成され、同様に該接続部９ａ，９ｂが取り付く側壁３も銅バー１３の変形形状に沿って予め湾曲形状に凹んだ形状となっている。
【００２１】
また、図１乃至図５に於て、１５は前記電極金具９の底部９ｃを軸部１５ａが貫通するロックピンで、該ロックピン１５は平面視楕円形状に形成された柱状の頭部１５ｂと、断面円形状に形成された小径な前記軸部１５ａと、該軸部１５ａの先端に形成された円盤状のロックピン抜止め部１５ｃとからなり、頭部１５ｂの頂部にマイナスドライバー（図示せず）用の溝１７が設けられている。そして、図３に示すように前記凸部７に、前記軸部１５ａの挿通孔１９が設けられ、該凸部７の裏面側に前記ロックピン抜止め部１５ｃを収納する凹部１１が設けられており、前記挿通孔１９はロックピン抜止め部１５ｃより小径に形成されて、ロックピン１５が銅バー取付部５内で回転自在に抜け止め支持されている。
【００２２】
そして、図１及び図２に示すように、各銅バー取付部５内に銅バー１３が一方向に固定されるが、図２及び図６に示すように銅バー１３には、前記ロックピン１５の頭部１５ｂよりやや大きな平面視楕円形状のロックピン挿入孔２１が、銅バー１３の長手方向と長軸を一致させて設けられている。
【００２３】
更に、前記ロックピン挿入孔２１には、その短軸側内周に、ロックピン１５の頭部１５ｂの長軸部２３が係合可能な簡易ロック用の凹部２５が形成され、更にまた、該ロックピン挿入孔２１には、バー１３の長手方向に沿ってスリット２７が前後方向に設けられており、両スリット２７の先端側は平面視略円形状に形成されている。
【００２４】
そして、図１及び図２に示すように長軸方向を合わせてロックピン挿入孔２１にロックピン１５の頭部１５ｂを挿入して銅バー取付部５内に銅バー１３を配置した後、図２の如くロックピン１５をマイナスドライバーで略９０度回転操作すると、ロックピン１５の頭部１５ｂの長軸部２３がロックピン挿入孔２１の短軸側内周に圧接し乍ら、銅バー１３を外方へ湾曲状に膨出変形させて前記接続部９ａ，９ｂと隔壁３とに圧着させるようになっている。
【００２５】
而して、既述したようにロックピン挿入孔２１にはスリット２７が銅バー１３の前後方向設けられているため、図２の如く銅バー１３は外方へ容易に湾曲状に膨出変形する。そして、斯様に銅バー１３が膨出変形して湾曲状に予め形成されている接続部９ａ，９ｂと隔壁３に圧着することで、銅バー１３が端子台１に固定されると同時に、電極金具９を介して銅バー１３と電源装置内の配線が導通するようになっている。
【００２６】
また、このとき、ロックピン１５の頭部１５ｂの長軸部２３が前記凹部２５に係合して、ロックピン１５の不用意な緩みが規制される。
【００２７】
一方、斯様に端子台１に固着した銅バー１３を交換のために取り外す場合には、図２の如くロックピンを略９０度回転操作してロックピン１５の頭部１５ｂの長軸と銅バー１３の軸方向を合わせると、膨出変形していた銅バー１３が変形前の形状に戻り、接続部９ａ，９ｂ及び隔壁３との圧接状態が解除されて銅バー１３を銅バー取付部５から取り外すことができるようになっている。
【００２８】
本実施形態はこのように構成されているから、銅バー１３を端子台１に取り付けるには、先ず、図１及び図２の如く長軸方向を合わせてロックピン挿入孔２１にロックピン１５の頭部１５ｂを挿入し、銅バー１３を銅バー取付部５内に配置する。
【００２９】
そして、図２の如くロックピン１５をマイナスドライバーで略９０度回転操作すると、ロックピン１５の頭部１５ｂの長軸部２３がロックピン挿入孔２１の短軸側内周に圧接し乍ら、銅バー１３を外方へ湾曲状に膨出変形させて、予め湾曲状に形成されている前記接続部９ａ，９ｂと隔壁３とに圧着させる。
【００３０】
而して、ロックピン挿入孔２１には、先端側を平面視略円形状に形成したスリット２７が銅バー１３の前後方向設けられているため、図２の如く銅バー１３は外方へ容易に湾曲状に膨出変形し、斯様に銅バー１３が膨出変形して接続部９ａ，９ｂと隔壁３とに面接触の状態で圧着することで、銅バー１３が端子台１に確実に固定されると同時に、電極金具９を介して銅バー１３と電源装置内の配線が導通する。そして、ロックピン１５の頭部１５ｂの長軸部２３が凹部２５に係合して、ロックピン１５の不用意な緩みが規制される。
【００３１】
一方、斯様に端子台１に固着された銅バー１３を取り外すには、図２の如くロックピン１５を略９０度回転操作してロックピン１５の頭部１５ｂの長軸と銅バー１３の軸方向を合わせれば、膨出変形していた銅バー１３が変形前の形状に戻り、接続部９ａ，９ｂ及び隔壁３との圧接状態が解除されて、銅バー１３を銅バー取付部５から取り外すことができる。
【００３２】
このように、本実施形態によれば、
[1]ロックピン１５の略９０度の回転操作で銅バー１３を端子台１に取り付けたり、端子台１から取り外すことができるため、従来に比し銅バーの取付け／取り外しが簡単にできることとなった。
【００３３】
また、
[2]ロックピン１５による端子台１への銅バー１３の固定時に、ロックピン１５の頭部１５ｂの長軸部２３が前記凹部２５に係合するため、ロックピン１５の不用意な緩みが防止される。
【００３４】
そして、
[3]電極金具９の接続部９ａ，９ｂと該接続部９ａ，９ｂが取り付く側壁３が銅バー１３の変形形状に沿って予め湾曲形状に凹んだ形状となっているため、変形した銅バー１３が該接続部９ａ，９ｂと隔壁３とに面接触の状態で圧着し、この結果、銅バー１３が端子台１に確実に固定されると共に、良好な電気導通性が確保できる利点を有する。
【００３５】
更に、
[4]ロックピン挿入孔２１に先端側を平面視略円形状に形成したスリット２７を銅バー１３の前後方向設けたため、ロックピン１５の略９０度の回転操作によって銅バー１３が容易に湾曲状に膨出変形し、この結果、作業効率がよく、銅バー１３を端子台１に確実に固定することが可能となった。
【００３６】
尚、前記スリット２７に代え、図７の実線で示すように銅バー１３の前後方向にストレート状のスリット２９を設けたり、図７の二点鎖線で示すように銅バー１３の長手方向へ幅寸法が順次大きくなるスリット３１を設けてもよいが、銅バー１３の変形を容易にする点を考慮すると、前記スリット２７，３１を用いて銅バー１３の変形部分の薄肉化を図ることが好ましい。
【００３７】
図８乃至図１１は請求項１乃至請求項５及び請求項７の一実施形態に係る銅バーの取付構造を示し、本実施形態は、端子台１に固定した銅バー１３の確実な抜け止めを図るため、前記ロックピン１５に代え、頭部１５ｂに銅バー抜止め部１５ｄを設けたロックピン１５-1を用いたもので、該銅バー抜止め部１５ｄを除くロックピン１５-1の軸部１５ａ，頭部１５ｂ，ロックピン抜止め部１５ｃの構造を始め、端子台１，電極金具９，銅バー１３等、その他の構成は図１の実施形態と同様であるため、同一のものには同一符号を付してそれらの説明は省略する。
【００３８】
前記銅バー抜止め部１５ｄは、恰もネジ頭の如く頭部１５ｂの上部から側方へ突出する平面視楕円形状のフランジからなり、図８に示すように該銅バー抜止め部１５ｄは銅バー１３の上方に突出し、その頂部にマイナスドライバー用の溝１７が設けられている。
【００３９】
そして、銅バー抜止め部１５ｄは、平面視楕円形状に形成された頭部１５ｂと長軸方向を同じくしており、該銅バー抜止め部１５ｄの長軸を銅バー１３のロックピン挿入孔２１の長軸に合わると、銅バー抜止め部１５ｄをロックピン挿入孔２１に挿入させることができるようになっている。そして、図８に示すように前記銅バー抜止め部１５ｄをロックピン挿入孔２１に挿通し、頭部１５ｂを該ロックピン挿入孔２１に挿入して銅バー取付部５内に銅バー１３を配置した後、ロックピン１５-1をマイナスドライバーで略９０度回転操作すると、前記実施形態と同様、ロックピン１５-1の頭部１５ｂの長軸部２３がロックピン挿入孔２１の短軸側内周に圧接し乍ら、銅バー１３を外方へ湾曲状に膨出変形させて電極金具９の接続部９ａ，９ｂと隔壁３とに圧着させるが、銅バー１３の上方に突出する前記銅バー抜止め部１５ｄがロックピン挿入孔２１の短軸方向に向いて、銅バー１３の上方への抜け止めを図ることとなる。
【００４０】
また、銅バー１３を端子台１から取り外す場合は、前記実施形態と同様、ロックピン１５-1を略９０度回転操作して銅バー抜止め部１５ｄの長軸と銅バー１３の軸方向を合わせればよい。
【００４１】
このように本実施形態によっても、図１の実施形態と同様、前記[1]〜[4]の作用効果を奏することができることは勿論、端子台１への銅バー１３の固定後に、銅バー１３の確実な抜け止めを図ることができる利点を有する。
【図面の簡単な説明】
【００４２】
【図１】端子台に銅バーが取り付く請求項１乃至請求項５の一実施形態に係る銅バーの取付構造の正面図である。
【図２】端子台とこれに取り付く銅バーの断面図である。
【図３】端子台とこれに取り付く銅バーの断面図である。
【図４】電極金具の側面図である。
【図５】電極金具の正面図である。
【図６】銅バーの要部拡大断面図である。
【図７】請求項４または請求項６の一実施形態に係る銅バーの要部拡大断面図である。
【図８】請求項１乃至請求項５及び請求項７の一実施形態に係る銅バーの取付構造の正面図である。
【図９】端子台とこれに取り付く銅バーの断面図である。
【図１０】電極金具の側面図である。
【図１１】電極金具の正面図である。
【符号の説明】
【００４３】
１  端子台
３  隔壁
５  銅バー取付部
７  凸部
９  電極金具
９ａ，９ｂ  接続部
９ｃ  底部
９ｄ  頭部
９ｅ  脚部
１３  銅バー
１５，１５-1  ロックピン
１５ａ  軸部
１５ｂ  頭部
１５ｃ  ロックピン抜止め部
１５ｄ  銅バー抜止め部
１７  マイナスドライバー用の溝
１９  挿通孔
２１  ロックピン挿入孔
２３  ロックピンの頭部の長軸部
２５  簡易ロック用の凹部
２７  スリット
【図１】
0004774062.tif 000002
【図２】
0004774062.tif 000003
【図３】
0004774062.tif 000004
【図４】
0004774062.tif 000005
【図５】
0004774062.tif 000006
【図６】
0004774062.tif 000007
【図７】
0004774062.tif 000008
【図８】
0004774062.tif 000009
【図９】
0004774062.tif 000010
【図１０】
0004774062.tif 000011
【図１１】
0004774062.tif 000012